(57)【特許請求の範囲】
【請求項１】
大量のカードをセットするカードセット部と、このカードセット部のカードを一枚ずつ送り出すためのカード送出部と、
このカード送出部により送り出されたカードを収納するための第１のポケット、第２のポケット・・・第ｎのポケットを有するポケット棚部と、
このポケット棚部の前記各ポケットに前記カード送出部により送出されたカードを搬送するための、第１の搬送ルート、第２の搬送ルート・・・第ｎの搬送ルートを形成するルート形成手段を有するカード搬送部と、
このカード搬送部と前記カード送出部の間あるいは該カード送出部の下部などに設けられた、カードの絵や模様や記号や数字などのイメージデータを読み取るイメージデータ読取手段およびバーコードやＩＣチップなどの記録データを読み取る記録データ読取手段あるいはいずれか一方を設けてなるカードデータ読取部と、
前記各ポケットにストックされたカード束を一つ束に重ねた重ね束を作るためのカード束重ね手段と、
カードのイメージおよび記録データあるいはいずれか一方のデータを記憶しパターンに分けるパターンデータ記憶部、このパターンデータ記憶部のパターンから目的のパターンを選択し設定するパターン設定部、前記ポケットの使用数を設定する使用ポケット数設定部、前記ポケットへのカード投入数を設定するカード投入数設定部、前記重ね束の生産数を設定する重ね束生産数設定部、前記カードデータ読取部で読み取ったカードのデータと前記パターン設定部により選択された選択パターンデータとを比較する比較部、前記比較部で比較・判定されたカードを設定された前記各ポケットに搬送するための前記各搬送ルートのルート形成手段を制御する搬送ルート形成部、前記比較部において不良カードと判定した場合に、不良カード摘出動作を制御する不良カード摘出部とを有する制御部とからなり、
前記ルート形成手段が、ロータリーソレノイドなどからなる切替体駆動手段で上下に振れてカードの進行方向を切り替える第１列切替体、この第１列切替体の後列に設けられた第２列第１番切替体、前記第１の切替体の後列の前記第２列第１番切替体の下方に設けられた第２列第２番切替体、前記第２列第１番切替体の後列に設けられた第３列第１番切替体、前記第２列第１番切替体の後列の前記第３列第１番切替体の下方に設けられた第３列第２番切替体、前記第２列第２番切替体の後列に設けられた第３列第３番切替体、前記第２列第２番切替体の後列の前記第３列第３番切替体の下方に設けられた第３列第４番切替体というように配置されたいくつもの切替体と、前列の前記切替体と後列の前記切替体との間に配置されたカードを挟み引き込み送り出す搬送体とで構成され、
前記カード束重ね手段が、前記第１のポケット、第２のポケット・・・第ｎのポケットにストックされたカード束を、該第１のポケット、第２のポケット・・・第ｎのポケットの外に押し出すためのカード押出し手段と、前記第１のポケット、第２のポケット・・・第ｎのポケットから押出された第１のカード束、第２のカード束・・・第ｎのカード束を夫々受け取る第１の受け手、第２の受け手・・・第ｎの受け手を有する第１の受け手棚部と、この第１の受け手棚部を移動させるための第１の受け手棚部移動手段と、この第１の受け手棚部移動手段により移動する前記第１の受け手棚部の前記第１の受け手、第２の受け手・・・第ｎの受け手にストックされているカード束の移動を止めて下方に落とすための第１のカード止め板と、前記第１の受け手棚部の移動により該第１の受け手棚部の前記第１の受け手、第２の受け手・・・第ｎの受け手から下方に落とされた夫々のカード束を受け取るための、移動可能に設けられた第１の受け手、第２の受け手・・・第ｎの受け手を有する第２の受け手棚部と、この第２の受け手棚部を移動させるための第２の受け手棚部移動手段と、この第２の受け手棚部移動手段により移動する第２の受け手棚部の前記第１の受け手、第２の受け手・・・第ｎの受け手にストックされているカード束の移動を止めて下方に落とすための第２のカード止め板とからなり、前記第１の受け手棚部と第２の受け手棚部のカード束の受け渡しを交互に繰り返し行うことにより、カード束を落としながら重ねて行くようにしてなる構成であることを特徴とするカード仕分け装置。
【発明の詳細な説明】
【０００１】
【発明の属する技術分野】
本発明はカードを色々なパターンに仕分けまとめることができるカード仕分け装置に関する。
【０００２】
【従来技術】
従来カードの検査と仕分けは人手により、行っていた。
【０００３】
【発明が解決しようとする課題】
しかし、人手によるカードの検査と仕分けには多人数の人員が必要なため、生産性が悪く人件費が掛かりコスト高になるという問題を持っていた。また、ミスによる数え間違えや検査ミスなどが防ぎきれないという問題もあった。さらに、新しい作業者には仕事の内容を教え、ある程度の訓練をしなければならなかった。一方、バーコードやＩＣチップなどの記録データを人が読み取って、仕分けしたり、不良を検出することは殆ど不可能である。
【０００４】
本発明は以上のような従来技術の問題点に鑑みてなされたもので、その目的は、記録データの読み取りチェックや仕分けができ、生産性が高く、検査ミスを起こさず、大幅なコスト削減を実現し、多様な仕分けパターンを選択して、カードを仕分けることにできるカード仕分け装置を提供するにある。
【０００５】
【課題を解決するための手段】
上述した目的を達成するために本発明のカード仕分け装置は次に述べるような構成となっている。
請求項１記載の発明は、
大量のカードをセットするカードセット部と、このカードセット部のカードを一枚ずつ送り出すためのカード送出部と、
このカード送出部により送り出されたカードを収納するための第１のポケット、第２のポケット・・・第ｎのポケットを有するポケット棚部と、
このポケット棚部の前記各ポケットに前記カード送出部により送出されたカードを搬送するための、第１の搬送ルート、第２の搬送ルート・・・第ｎの搬送ルートを形成するルート形成手段を有するカード搬送部と、
このカード搬送部と前記カード送出部の間あるいは該カード送出部の下部などに設けられた、カードの絵や模様や記号や数字などのイメージデータを読み取るイメージデータ読取手段およびバーコードやＩＣチップなどの記録データを読み取る記録データ読取手段あるいはいずれか一方を設けてなるカードデータ読取部と、
前記各ポケットにストックされたカード束を一つ束に重ねた重ね束を作るためのカード束重ね手段と、
カードのイメージおよび記録データあるいはいずれか一方のデータを記憶しパターンに分けるパターンデータ記憶部、このパターンデータ記憶部のパターンから目的のパターンを選択し設定するパターン設定部、前記ポケットの使用数を設定する使用ポケット数設定部、前記ポケットへのカード投入数を設定するカード投入数設定部、前記重ね束の生産数を設定する重ね束生産数設定部、前記カードデータ読取部で読み取ったカードのデータと前記パターン設定部により選択された選択パターンデータとを比較する比較部、前記比較部で比較・判定されたカードを設定された前記各ポケットに搬送するための前記各搬送ルートのルート形成手段を制御する搬送ルート形成部、前記比較部において不良カードと判定した場合に、不良カード摘出動作を制御する不良カード摘出部とを有する制御部とからなり、
前記ルート形成手段が、ロータリーソレノイドなどからなる切替体駆動手段で上下に振れてカードの進行方向を切り替える第１列切替体、この第１列切替体の後列に設けられた第２列第１番切替体、前記第１の切替体の後列の前記第２列第１番切替体の下方に設けられた第２列第２番切替体、前記第２列第１番切替体の後列に設けられた第３列第１番切替体、前記第２列第１番切替体の後列の前記第３列第１番切替体の下方に設けられた第３列第２番切替体、前記第２列第２番切替体の後列に設けられた第３列第３番切替体、前記第２列第２番切替体の後列の前記第３列第３番切替体の下方に設けられた第３列第４番切替体というように配置されたいくつもの切替体と、前列の前記切替体と後列の前記切替体との間に配置されたカードを挟み引き込み送り出す搬送体とで構成され、
前記カード束重ね手段が、前記第１のポケット、第２のポケット・・・第ｎのポケットにストックされたカード束を、該第１のポケット、第２のポケット・・・第ｎのポケットの外に押し出すためのカード押出し手段と、前記第１のポケット、第２のポケット・・・第ｎのポケットから押出された第１のカード束、第２のカード束・・・第ｎのカード束を夫々受け取る第１の受け手、第２の受け手・・・第ｎの受け手を有する第１の受け手棚部と、この第１の受け手棚部を移動させるための第１の受け手棚部移動手段と、この第１の受け手棚部移動手段により移動する前記第１の受け手棚部の前記第１の受け手、第２の受け手・・・第ｎの受け手にストックされているカード束の移動を止めて下方に落とすための第１のカード止め板と、前記第１の受け手棚部の移動により該第１の受け手棚部の前記第１の受け手、第２の受け手・・・第ｎの受け手から下方に落とされた夫々のカード束を受け取るための、移動可能に設けられた第１の受け手、第２の受け手・・・第ｎの受け手を有する第２の受け手棚部と、この第２の受け手棚部を移動させるための第２の受け手棚部移動手段と、この第２の受け手棚部移動手段により移動する第２の受け手棚部の前記第１の受け手、第２の受け手・・・第ｎの受け手にストックされているカード束の移動を止めて下方に落とすための第２のカード止め板とからなり、前記第１の受け手棚部と第２の受け手棚部のカード束の受け渡しを交互に繰り返し行うことにより、カード束を落としながら重ねて行くようにしてなる構成であることを特徴とするカード仕分け装置である。
「パターン設定」は、例えば、バーコードのみ、イメージのみ、イメージとバーコードの組合せ、イメージは不良チェックのみでバーコードは不良チェックと仕分け、などがあり、これらもカードごとに相違し、また仕分け目的により、比較部分が相違することもあり、それらが記憶されてパターンＮｏが付与される。
【０００６】
【０００７】
【０００８】
【０００９】
【００１０】
【発明の実施の形態】
本発明の実施の形態を図面を参照しながら説明する。
＜実施の形態１＞
図１ないし図７に示す本発明の実施の形態１において、１は本発明のカード仕分け装置であり、このカード仕分け装置１は大量のカードをセットするカードセット部２と、このカードセット部２のカードを一枚ずつ送り出すためのカード送出部３と、このカード送出部３により送り出されたカードを収納するための第１のポケット４ａ、第２のポケット４ｂ、第３のポケット４ｃ、第４のポケット４ｄ、第５のポケット４ｅ、第６のポケット４ｆ、第７のポケット４ｇ、第８のポケット４ｈからなるポケット棚部５と、このポケット棚部５のポケット４ａ〜４ｈにカード送出部３により送出されたカードを搬送するための、第１の搬送ルート６ａ、第２の搬送ルート６ｂ、第３搬送ルート６ｃ、第４の搬送ルート６ｄ、第５の搬送ルート６ｅ、第６の搬送ルート６ｆ、第７の搬送ルート６ｇ、第８の搬送ルート６ｈを形成するルート形成手段７を有するカード搬送部８とがある。
【００１１】
さらに、このカード搬送部８とカード送出部３の間あるいは該カード送出部３の下部には、カードの絵や模様や記号や数字などのイメージデータを読み取るＣＣＤカメラからなるイメージデータ読取手段９と、バーコードやＩＣチップなどの記録データを読み取る記録データ読取手段１０とからなるカードデータ読取部１１が設けられている。
【００１２】
図４〜図５に示すように、ポケット４ａ〜４ｈにストックされたカード束を、該ポケット４ａ〜４ｈの外に押し出すためのカード押出し手段１２と、ポケット４ａ〜４ｈから押出された第１のカード束、第２のカード束・・・第ｎのカード束を夫々受け取る第１の受け手１４ａ、第２の受け手１４ｂ、第３の受け手１４ｃ、第４の受け手１４ｄ、第５の受け手１４ｅ、第６の受け手１４ｆ、第７の受け手１４ｇ、第８の受け手１４ｈを有する第１の受け手棚部１５と、この第１の受け手棚部１５を移動させるための第１の受け手棚部移動手段１６と、この第１の受け手棚部移動手段１６により移動する該１６の受け手１４ａ〜１４ｈにストックされているカード束の移動を止めて下方に落とすための第１のカード止め板１７と、第１の受け手棚部１５の移動により受け手１４ａ〜１４ｈから下方に落とされた夫々のカード束を受け取るための、移動可能に設けられた第１の受け手２０ａ、第２の受け手２０ｂ、第３の受け手２０ｂ、第４の受け手２０ｃ、第５の受け手２０ｄ、第６の受け手２０ｅ、第７の受け手２０ｆ、第８の受け手２０ｇを有する第２の受け手棚部２１と、この第２の受け手棚部２１を移動させるための第２の受け手棚部移動手段２２と、この第２の受け手棚部移動手段２２により移動する受け手２０ａ〜２０ｇにストックされているカード束の移動を止めて下方に落とすための第２のカード止め板２３と、第１の受け手棚部１５と第２の受け手棚部２１のカード束の受け渡しを交互に繰り返し行うことにより、カード束を落としながら重ねて行くようにしてなる第１の受け手棚部１５と第２の受け手棚部２１とからなるカード束重ね手段２４が設けられている。
【００１３】
図７に示すように、カードのイメージおよび記録データあるいはいずれか一方のデータを記憶しパターンに分けるパターンデータ記憶部２７、このパターンデータ記憶部２７のパターンを選択設定するパターン設定部３０、使用ポケット数設定部３１、ポケット４ａ〜４ｈへのカード投入数設定部３２、重ね束生産数設定部３３、カードデータ読取部１１で読み取ったカードのデータとパターン設定部３０により選択された選択パターンデータとを比較する比較部３５とからなる制御部３６とからなり、比較部３５において不良カードを摘出した場合には、第１のポケット４ａに不良カードを投入させてカードの搬送動作を停止させ、光や音などで不良カード検出を報知（図示なし）するようにしてなっている。
【００１４】
カード搬送部８は制御部３６により制御される、切替体を上下に振り駆動するロータリーソレノイドなどからなる切替体駆動手段３７ａ〜３７ｎで上下に振れるカードの進行方向を切り替える第１列切替体３８ａ、第２列第１番切替体３８ｂ、第２列第２番切替体３８ｃ、第３列第１番切替体３８ｄ、第３列第２番切替体３８ｅ、第３列第３番切替体３８ｆ、第３列第４番切替体３８ｇと、搬送ルート６ａ〜６ｈを形成するように適宜に配置された、カードを挟み引き込み送り出す一対のローラからなる搬送体３９の群体からなっていて、切替体３８a〜３８ｇと搬送体３９とでルート形成手段７を構成している。搬送体はローラに限られず、対の搬送ベルトからなるもの、搬送ベルトとローラの組合せなどいろいろとある。切替体駆動手段はロータリーソレノイドに限られるものではない。以下の説明で切替体に対応する切替体駆動手段については図示せず説明を省略する。
【００１５】
以下、本装置の作用について説明する。カードデータ読取部１１で読み取ったカードデータが第１の搬送ルート６ａである場合、第１列切替体３８ａ、第２列第１番切替体３８ｂ、第３列第１番切替体３８ｄは全部下向きに振れて第１の搬送ルート６ａを形成し、カードは第１のポケット４ａに投入される。カードデータ読取部１１で読み取ったカードデータが第２の搬送ルート６ｂである場合、第１列切替体３８ａは下向き、第２列第１番切替体３８ｂは下向き、第３列第１番切替体３８ｄは上向きに振れて第２の搬送ルート６ｂを形成し、カードは第２のポケット４ｂに投入される。カードデータ読取部１１で読み取ったカードデータが第３の搬送ルート６ｃである場合、第１列切替体３８ａは下向き、第２列第１番切替体３８ｂは上向き、第３列第２番切替体３８ｅは下向きに振れて第３の搬送ルート６ｃを形成し、カードは第３のポケット４ｃに投入される。カードデータ読取部１１で読み取ったカードデータが第４の搬送ルート６ｄである場合、第１列切替体３８ａは下向き、第２列第１番切替体３８ｂは上向き、第３列第２番切替体３８ｄは上向きに振れて第４の搬送ルート６ｄを形成し、カードは第４のポケット４ｄに投入される。カードデータ読取部１１で読み取ったカードデータが第５の搬送ルート６ｅである場合、第１列切替体３８ａは上向き、第２列第２番切替体３８ｃは下向き、第３列第３番切替体３８ｆは下向きに振れて第５の搬送ルート６ｅを形成し、カードは第５のポケット４ｅに投入される。カードデータ読取部１１で読み取ったカードデータが第６の搬送ルート６ｆである場合、第１列切替体３８ａは上向き、第２列第２番切替体３８ｃは下向き、第３列第３番切替体３８ｆは上向きに振れて第６の搬送ルート６ｆを形成し、カードは第６のポケット４ｆに投入される。カードデータ読取部１１で読み取ったカードデータが第７の搬送ルート６ｇである場合、第１列切替体３８ａは上向き、第２列第２番切替体３８ｃは上向き、第３列第４番切替体３８ｇは下向きに振れて第７の搬送ルート６ｇを形成し、カードは第７のポケット４ｇに投入される。カードデータ読取部１１で読み取ったカードデータが第８の搬送ルート６ｈである場合、第１列切替体３８ａは上向き、第２列第２番切替体３８ｃは上向き、第３列第４番切替体３８ｇは上向きに振れて第８の搬送ルート６ｇを形成し、カードは第８のポケット４ｈに投入される。４０はカウントセンサーであり、取り付け場所と取付け数は任意である。カードの仕分け種類ごとのカウントは、カードデータ読取部１１での読取と同時に投入ポケット確定とともに行なわれる。念のために、カウントセンサー４０のカウント情報によりポケット４ａ〜４ｈに投入されたカード枚数が照合される。
【００１６】
全ポケットに所定の枚数カードが投入されると、各ポケットのカード束は一斉にカード押出し手段１２により第１の受け手棚部１５の受け手１４ａ〜１４ｈに渡される。カード押出し手段１２は、エアーシリンダー４２と該４２により移動させられる移動板４３と該４３に設けられた押出しアーム４４ａ〜４４ｈからなっていて、押出しアーム４４ａ〜４４ｈがポケット４ａ〜４ｈにストックされたカード束をポケット４ａ〜４ｈの外に押出す。ポケット４ａ〜４ｈのカード束が押出されるときは、カード押出し手段１２の対抗側に設けられた仕切りシャッター４５が開くようになっている。仕切りシャッター４５はエアーシリンダー４６により移動されるようになっている。カード束を移動したら仕切りシャッター４５は閉じ、再びカードの搬送仕分けが開始され、これと平行してカード束重ね手段２４ではカード束の重ね動作が行なわれる。５１は駆動モータ、５０は駆動モータ５１の駆動力をカード送出部の送り出しローラ４９や搬送体３９に伝えて該４９や該３９を回転させるためのギアーボックスである。
【００１７】
カード束重ね手段２４とその関連機構の構成及び動作は次に述べるようになっている。受け手１４ａ〜１４ｈの夫々の下には第２の受け手棚部２１の受け手２０ａ〜２０ｇがあって、受け手１４ａ〜１４ｈがカード落とし移動するとカード束はその下の受け手２０ａ〜２０ｇに落ち、受け手１４ｈのカード束はカード束重ね受け板５２上に置かれる。受け手２０ａ〜２０ｇと受け手１４ａ〜１４ｈのカード渡し動作が交互に行なわれるに従いカード束は一段ずつ下段に移行し、８回の動作で全てのカード束がカード束重ね受け板５２上に重ね束として重ねまとめられる。カード束ね受け板５２はエアーシリンダー５４で移動さられ、重ね束５３をコンベアー５５上に落とす。
【００１８】
カード仕分け装置１の制御及び動作の流れは次のようになっている。あらかじめカードの基準イメージデータやバーコードなど基準記録データがパターンデータ記憶部２５にパターンＮｏを付与されて記憶されている。同じデータであっても仕分け内容が相違するものにはそれぞれパターンＮｏが付与されている。制御部３６において、使用ポケット数、ポケットへのカード投入数、生産数、パターンＮｏを設定する。この設定されたパターンＮｏに基づいて、カードの種類が投入されるポケット及び搬送ルートが決定される。カードが送出部３からカードが送り出され、カードデータ読取部１１でカードのイメージやバーコードが読み取られる。読み取られたデータを設定されたパターンのデータと比較して、カードの種類を判定し搬送ルートを決定し同時にカウントされ、切替体を制御してそのカードの搬送ルートを確立し、カードは搬送ルートを搬送されて所定のポケットに投入される。試作機ではカードのカードの送出スピードは４／１００秒で、その間に十分にバーコードの読取、比較、搬送ルートの確立が行なえている。不良品が検出された場合には、搬送ルート６ａが確立され、不良カードは最上階のポケット４ａに投入され、カードの搬送は停止され、光や音などの報知手段（図示せず）で報知される。また、複数枚の重なって送り出された場合のカードを第１列切替体の前で検出を行なう厚みセンサや、重なり線の検出を行なうセンサなどからなる重なりカード検出手段１８を設けて、重なりカードを検出した場合には、第１の搬送ルート６ａが形成され、重なりカードはポケット４ａに投入されるとともにカードの搬送は停止され報知されるようになっている。以下の実施の形態の説明において、上述した実施の形態の構成と同じ構成には同じ符号を付しその説明を省略する。
【００１９】
＜実施の形態２＞図８ないし図１０に示す本発明の実施の形態２について詳述する。カード仕分け装置６０は前記したカード仕分け装置１の構成に加えて不良カード搬送ルート６１が形成されるように、第３列第１番切替体３８ｄの後部上方に第４列上方切替体６２を設け、不良カード搬送ルート６１を形成する搬送体３９を適宜に増設し、不良カード搬送ルート６１から投入される不良カードを受けるための不良カード受け部６３を設けてなるものである。カードデータ読取部１１で読み取ったカードデータが不良カードである場合、第１列切替体３８ａ、第２列第１番切替体３８ｂ、第３列第１番切替体３８ｄ、第４列上方切替体６２は全部下向きに振れて不良カード搬送ルート６１を形成し、不良カードは不良カード受け部６３に投入される。また、重なりカードが検出された場合には、不良カード搬送ルート６１が形成され、重なりカードは不良カード受け部６３に投入するように制御することもできる。また、カードデータ読取部１１で読み取ったカードデータが第１の搬送ルート６ａである場合、第１列切替体３８ａ、第２列第１番切替体３８ｂ、第３列第１番切替体３８ｄは全部下向きに振れ、第４列上方切替体６２は上向きに振れて第１の搬送ルート６ａを形成し、カードは第１のポケット４ａに投入される。不良カード受け部６３は不良カードをそのまま収納する部位である場合もあるし、例えば、そのまま滑り降ろすなどして他の部位に移動させる部位である場合など収納などに限定されない。
【００２０】
＜実施の形態３＞図１１に示す本発明の実施の形態３において６７は、カード仕分け装置であって、このカード仕分け装置６７は前記したカード仕分け装置６０の構成に加えて重なりカード搬送ルート６８が形成されるように、第３列第４番切替体３８ｇの後部下方に第４列下方切替体６９を設け、重なりカード搬送ルート６８を形成する搬送体３９を適宜に増設し、重なりカード搬送ルート６８から投入される重なりカードや仕分け対象外カードを受けるための重なりカード受け部７０を設けてなるものである。複数枚が重なって送り出されたり、カードデータ読取部１１で読み取ったカードデータが仕分け対象外カードデータである場合には、第１列切替体３８ａ、第２列第２番切替体３８ｃ、第３列第４番切替体３８ｇ、第４列下方切替体６９は全部上向きに振れて重なりカード搬送ルート６８を形成し、重なりカードおよび仕分け対象外カードは重なりカード受け部７０に投入される。また、カードデータ読取部１１で読み取ったカードデータが第８の搬送ルート６ｈである場合、第１列切替体３８ａ、第２列第２番切替体３８ｃ、第３列第４番切替体３８ｇは上向きに振れ、第４列上方切替体６２は下向きに振れて第８の搬送ルート６ｈを形成し、カードは第８のポケット４ｈに投入される。
【００２１】
＜実施の形態４＞図１２ないし図１４に示す本発明の実施の形態４において７３はカード仕分け装置であって、このカード仕分け装置７３は前記した前記したカード仕分け装置１の構成に加えて、第１列替体３８ａと第２列第２番切替体３８ｃの間にカード進行方向切替体７４を設け該７４の動作により不良カード搬送ルート７５が形成されて、該７５の下部に設けた不良カード受け部７６に不良カードが投入されるようにし、第２列第替体３８ｃと第３列第４番切替体３８ｇの間にカード進行方向切替体７８を設け該７８の動作により重なりカード搬送ルート７９が形成されて、該７９の下部に設けた重なりカード受け部８０に重なりカード、仕分け対象外カード、ポケット超過カード等が投入されるようにしてなるものである。カード進行方向切替体７４とカード進行方向切替体７６の動作においては、上向きの場合はカードはこれらカード進行方向切替体にあたり下方に進行方向を変えるが、下向きの場合はカードはこれらカード進行方向切替体に進行方向を影響されずにそのまま直進する。不良カードが検出された場合には、第１列切替体３８ａは上向きに振れ、カード進行方向切替体７４は上向きに振れて不良カード搬送ルート７５を形成し、不良カードは不良カード受け部７６に投入される。複数枚が重なって送り出されたり、カードデータ読取部１１で読み取ったカードデータが仕分け対象外カードデータであったり、カードデータ読取部１１で読み取ったカードデータがポケットに設定数投入完了したポケット超過カードである場合には、第１列切替体３８ａは上向きに振れ、カード進行方向切替体７４は下向きに振れ、第２列第替体３８ｃ上向きに振れ、カード進行方向切替体７８は上向きに振れて重なりカード搬送ルート７９を形成し、重なりカードおよび仕分け対象外カードは重なりカード受け部８０に投入される。ポケット超過カードは、ポケットに投入されるカードの設定数（数や種類あるいは数と種類との組合せ）がカウント記憶され、設定された枚数になったものはポケット超過カードとして登録され、判定段階でポケット超過カードとして重なりカード受け部８０に搬送される。
【００２２】
＜実施の形態５＞図１５に示す本発明の実施の形態５において８２はカード仕分け装置であって、このカード仕分け装置８２は前記したカード仕分け装置１の構成に加えて、カード送出部３と第１列切替体３８ａの間に直線ルートである適宜な間隔で設けられた摘出ルート８３を設け、この摘出ルート８３に適宜な間隔を置いてカード進行方向切替体８４とカード進行方向切替体８５を設け、カード進行方向切替体８４の下部に不良カード受け部８８を設け、カード進行方向切替体８５の下部に重なりカード等受け部８９を設け、不良カードを検出が検出されるとカード進行方向切替体８４が上向きに振られて不良カード搬送ルート８６が形成されて不良カードは不良カード受け部８８に投入され、重なりカードや対象外カードやポケット超過カードが検出されると、カード進行方向切替体８５が上向き（このときカード進行方向切替体８４は下向き）に振られて重なりカード等搬送ルート８７が形成されて重なりカード等は重なりカード等受け部８９に投入されようにしてなるものである。カード進行方向切替体８４とカード進行方向切替体８５の動作においては、上向きの場合はカードはこれらカード進行方向切替体にあたり下方に進行方向を変えるが、下向きの場合はカードはこれらカード進行方向切替体に進行方向を影響されずにそのまま直進する。
【００２３】
【発明の効果】
本発明は以上述べたようになっているので次に述べるような効果を奏する。請求項１記載の発明の効果は、パターン設定部に多様なイメージデータ、記録データによる仕分けパターンを記憶させることでき、このパターンから目的のパターンを選択し、重ね束の生産数、１ポケットのカード数、カード束の重ね数を設定するものであるので、多様なカード仕分けに難なく対応することができる柔軟性を実現し、不良カードが検出された場合には、所定のポケットに不良カードを投入させてカードの搬送を停止させるなどして、光や音などで不良カード検出を報知するなどの不良カード摘出動作により不良カードの摘出も確実に行なえ、高信頼性の高生産性を実現して大幅なコスト削減を実現するという効果を奏する。
【００２４】
【００２５】
【００２６】
【００２７】
【図面の簡単な説明】
【図１】 本発明の実施の形態１の装置の機構説明図。
【図２】 本発明の実施の形態１の装置の機構部分説明図。
【図３】 本発明の実施の形態１の装置の搬送ルート説明図。
【図４】 本発明の実施の形態１の装置の機構平面説明図。
【図５】 本発明の実施の形態１の装置のカード束重ね手段の平面説明図。
【図６】 本発明の実施の形態１の装置の設定部の設定画面図。
【図７】 本発明の実施の形態１の装置の制御流れ図。
【図８】 本発明の実施の形態２の装置の機構説明図。
【図９】 本発明の実施の形態２の装置の搬送ルート説明図。
【図１０】 本発明の実施の形態２の装置の制御流れ図。
【図１１】 本発明の実施の形態３の装置の搬送ルート説明図。
【図１２】 本発明の実施の形態４の装置の機構説明図。
【図１３】 本発明の実施の形態４の装置の搬送ルート説明図。
【図１４】 本発明の実施の形態４の装置の搬送ルート説明図。
【図１５】 本発明の実施の形態５の装置に機構及び搬送ルート説明図。の装置の制御流れ図。
【符号の説明】
１：カード仕分け装置
２：カードセット部
３：カード送出部
４ａ〜４ｈ：ポケット
５：ポケット棚部
６ａ〜６ｈ：搬送ルート
７：ルート形成手段
８：カード搬送部
９：イメージデータ読取手段
１０：記録データ読取手段
１１：カードデータ読取部
１２：カード押出し手段
１４ａ〜１４ｈ：受け手
１５：第１の受け手棚部
１６：第１の受け手棚部移動手段
１７：第１のカード止め板
１８：カード検出手段
２０ａ〜２０ｇ：受け手
２１：第２の受け手棚部
２２：第２の受け手棚部移動手段
２３：第２のカード止め板
２４：カード束重ね手段
２５：パターンデータ記憶部
２７：パターン設定画面
２８：開始ボタン
２９：停止ボタン
３０：パターン設定部
３１：使用ポケット数設定部
３２：カード投入数設定部
３３：重ね束生産数設定部
３５：比較部
３６：制御部
３７ａ、３７ｂ・・・・３７ｎ：切替体駆動手段
３８ａ：第１列切替体
３８ｂ：第２列第１番切替体
３８ｃ：第２列第２番切替体
３８ｄ：第３列第１番切替体
３８ｅ：第３列第２番切替体
３８ｆ：第３列第３番切替体
３８ｇ：第３列第４番切替体
３９：搬送体
４０：カウントセンサー
４１：レーザー光線
４２：エアーシリンダー
４３：移動板
４４ａ〜４４ｈ：押出しアーム
４５：仕切りシャッター
４６：エアーシリンダー
４９：送り出しローラ
５０：ギアーボックス
５１：駆動モータ
５２：カード束重ね受け板
５３：重ね束
５４：エアーシリンダー
５５：コンベアー
６０：カード仕分け装置
６１：不良カード搬送ルート
６２：第４列上方切替体
６３：不良カード受け部
６４：案内板
６５：案内板
６６：案内板
６７：カード仕分け装置
６８：カード搬送ルート
６９：第４列下方切替体
７０：重なりカード受け部
７３：カード仕分け装置
７４：カード進行方向切替体
７５：不良カード搬送ルート
７６：不良カード受け部
７８：カード進行方向切替体
７９：カード搬送ルート
８０：カード受け部
８２：カード仕分け装置
８３：摘出ルート
８４：カード進行方向切替体
８５：カード進行方向切替体
８６：不良カード搬送ルート
８７：重なりカード等搬送ルート
８８：不良カード受け部
８９：重なりカード等受け部
【図１】
0004044749.tif 000002
【図２】
0004044749.tif 000003
【図３】
0004044749.tif 000004
【図４】
0004044749.tif 000005
【図５】
0004044749.tif 000006
【図６】
0004044749.tif 000007
【図７】
0004044749.tif 000008
【図８】
0004044749.tif 000009
【図９】
0004044749.tif 000010
【図１０】
0004044749.tif 000011
【図１１】
0004044749.tif 000012
【図１２】
0004044749.tif 000013
【図１３】
0004044749.tif 000014
【図１４】
0004044749.tif 000015
【図１５】
0004044749.tif 000016